(57)【要約】【課題】リモコンユニットからカーソル操作して所望のソフトキーに加えてハードキーを選択操作できるようにする。【解決手段】タッチパネル機能を備えた表示手段を有する電子装置１０は、リモコンユニット３０からの信号を受信するリモコン受信部１８と、表示部１３に表示されるソフトキーの配列と表示部１３の周辺に配置されたハードキーの配列とを連続した相互の位置関係として記憶したキー配列テーブル１９と、リモコンユニット３０に設けられたカーソルキー３３の操作に基づいて移動するカーソル位置に応じて表示部１３に表示されたソフトキーの選択を検出して該ソフトキーを能動化する制御部１１と、を備え、制御部１１は、リモコンユニット３０におけるカーソルキー操作を検出し、ソフトキー領域を超えてカーソルが移動された場合、カーソルの移動量と移動方向に基づいてキー配列テーブル１９を参照して該当するハードキーの選択を検出して能動化する。【選択図】図１
2008078860.tif 000002
【特許請求の範囲】
【請求項１】
電子装置を操作するためのキーを有するリモコンユニットを備え、複数のソフトキーを表示するタッチパネル機能を有する表示部と、前記表示部の周辺に設けられた複数のハードキーを有するタッチパネル機能を有する電子装置において、
前記電子装置は、前記リモコンユニットからの信号を受信するリモコン受信部と、前記表示部に表示されるソフトキーの配列と前記表示部の周辺に配置されたハードキーの配列とを連続した相互の位置関係として記憶したキー配列テーブルと、前記リモコンユニットに設けられたカーソルキー操作に基づいて移動するカーソル位置に応じて前記表示部に表示されたソフトキーの選択を検出して該ソフトキーを能動化する制御部と、を備え、
前記制御部は、前記リモコンユニットにおけるカーソルキー操作を検出し、前記表示部におけるソフトキーの表示領域を超えて前記カーソルが移動された場合、カーソルの移動量と移動方向に基づいて前記キー配列テーブルを参照して該当するハードキーの選択を検出して該ハードキーを能動化することを特徴とするタッチパネル機能を有する電子装置。
【請求項２】
前記ハードキーは、少なくとも前記電子装置の電源キーと、前記電子装置が有する複数の機能部を選択するキーとを含むことを特徴とする請求項１に記載のタッチパネル機能を有する電子装置。
【請求項３】
前記カーソルキー操作によって特定のハードキーが選択された時、該選択されたハードキーの発光表示を異ならせることを特徴とする請求項１に記載のタッチパネル機能を有する電子装置。
【請求項４】
前記表示部に表示されるソフトキーは、前記複数の機能部のそれぞれの動作に必要な複数のソフトキーのセットからなり、前記キー配列テーブルは前記ソフトキーのセットに対応したキー配列データのセットを含み、前記制御部は、能動化された機能に対応したキー配列データのセットを選択して参照することを特徴とする請求項２に記載のタッチパネル機能を有する電子装置。
【請求項５】
電子装置を操作するためのキーを有するリモコンユニットを備え、複数のソフトキーを表示するタッチパネル機能を有する表示部と、前記表示部の周辺に設けられた複数のハードキーを有するタッチパネル機能を有する電子装置のタッチパネル制御方法において、
前記電子装置は、前記リモコンユニットからの信号を受信するリモコン受信部と、前記表示部に表示されるソフトキーの配列と前記表示部の周辺に配置されたハードキーの配列とを連続した相互の位置関係として記憶したキー配列テーブルと、前記リモコンユニットに設けられたカーソルキー操作に基づいて移動するカーソル位置に応じて前記表示部に表示されたソフトキーの選択を検出して該ソフトキーを能動化する制御部と、を備え、
前記制御部が、前記リモコンユニットにおけるカーソルキー操作を検出するステップと、前記表示部におけるソフトキーの表示領域を超えて前記カーソルが移動された場合、カーソルの移動量と移動方向に基づいて前記キー配列テーブルを参照して該当するハードキーの選択を検出して該ハードキーを能動化するステップとを有することを特徴とするタッチパネル機能を有する電子装置のタッチパネル制御方法。
【発明の詳細な説明】
【技術分野】
【０００１】
本発明は、リモコンユニットを有し、表示ユニットにタッチパネル機能を備えた表示手段を有する電子装置およびタッチパネル制御方法に関するものであり、特に、表示ユニットに表示されたソフトキーを直接またはリモコンユニットからカーソル操作して所望のソフトキーを選択して当該電子装置に対する種々の指定や設定を行う電子装置において、ソフトキーに加えて表示手段の周辺に設けられたハードキー（物理的、機構的なキー、スイッチ、ボタン等）もリモコンユニットからカーソル操作して選択できるようにしたタッチパネル表示機能を有する電子装置およびタッチパネル制御方法に関するものである。
【背景技術】
【０００２】
最近ではナビゲーション装置、音楽プレーヤー、ＤＶＤプレーヤー、アナログ放送やデジタル放送に対応したテレビジョン受信機など各種の電子装置が小型化され、携帯可能な装置として、あるいは車載用の装置として提供されている。特に車載用の装置としては、上記の各種機能を複合して備えた電子装置も提供されている。
【０００３】
これらの電子装置において利用者が電子装置に所望の機能、動作を行わせるために各種のハードキー（物理的、機構的なキー、スイッチ、ボタン等）が電子装置の前面に配置されている。これらのハードキーは、例えば、電子装置の主電源を投入、切断するための電源キーや電子機器が備える各種機能を選択して切替えるための機能選択キー、個々の機能が備えるメニューを選択するためのメニュー選択キーなどである。
【０００４】
例えば、電子装置がナビゲーション機能、音楽プレーヤー機能、テレビジョン受信機などの機能を有する場合はその何れの機能を選択するかを機能選択キーを操作して決定し、個々の機能を動作させるために必要な指定をメニュー選択キーを操作して決定する。
【０００５】
上記のような電子装置において、電子装置の全ての選択、指定操作をハードキーのみで操作するためにはハードキーの数が膨大になり、装置の小型化を阻害するので、ハードキーは主要なキーのみとし、ソフトキーを併用することが一般的に行われている。電子装置の表示手段にタッチパネル機能を有する表示ユニットを用い、各種キーをタッチパネル上に表示し、利用者が表示されたキーを指で押下することによって当該キー操作を検出するようにしたものである。このようなキーをハードキーに対してソフトキーと称している。
【０００６】
電子装置が家庭用あるいは車載用である場合、多くの場合、リモートコントロールユニット（リモコンユニット）が用意されており、電子装置を直接操作することなく、リモコンユニットを用いて操作するように設計されている。このためリモコンユニットには電子装置本体に設けられたハードキーに相当するキーが設けられるとともに、電子装置本体のタッチパネルに表示されるソフトキーを選択するためのカーソルキーが設けられる。
【０００７】
また、リモコンユニットにはＬＣＤ表示ユニットなどで構成される表示手段が設けられ、電子装置本体のタッチパネルに表示されると同様のソフトキーが表示されるように構成されたものもある。リモコンユニットにおける操作信号は赤外線通信や短距離無線通信によって電子装置本体に送られ、電子装置はリモコンユニットからの信号を受信して、電子装置本体に設けられたハードキーやタッチパネルに表示されたソフトキーが操作された場合と全く同様に動作する。
【０００８】
タッチパネルを用いた操作部を備えた電子装置は、例えば、下記の特許文献１（特開平８−１８５２６５公報）に、タッチパネル制御装置として開示されている。この特許文献１に開示されたタッチパネル制御装置は、指先でタッチパネルにタッチすると、タッチされた位置の周辺を拡大表示し、その状態で改めて所望のボタンにタッチすることにより多数のソフトキーが比較的小さなタッチパネル上に表示される場合に所望のキーを誤りなく正確に入力できるようにしたものである。
【０００９】
また、前述のような電子装置に用いられるリモコンユニットは、例えば、下記の特許文献２（特開２００５−３２３２３６号公報）にリモコン装置として開示されている。この特許文献２に開示されたリモコン装置は、表示手段と、ハードウェアキーの替わりに機能毎にまとめられたソフトウェアキーと、ポインティングデバイスを備え、使用頻度の低い機能をソフトウェアキーに割り当て、ハードウェアキーの個数を削減したものである。これにより従来の赤外線リモコン装置がハードウェアキーに全ての機能を割り振っているために生じていたキー数の増大およびリモコン本体の大型化を抑制するようにしたものである。
【特許文献１】特開平８−１８５２６５号公報（図１）
【特許文献２】特開２００５−３２３２３６号公報（図１、図４）
【発明の開示】
【発明が解決しようとする課題】
【００１０】
一般に上記特許文献１に開示されたようなタッチパネルに表示されたソフトキーをリモコンユニットにより選択操作する場合、リモコンユニットに設けられたカーソルキーを操作してタッチパネルの表示画面上でカーソルを移動させ、所望のソフトキー上にカーソルをあてて確定キー（決定キー）を操作してそのキー選択を確定するようにされる。
【００１１】
また、電子装置本体に設けられたハードキーをリモコンユニットで操作する場合には、リモコンユニットに電子装置本体のハードキーに対応して設けられたハードキーから所望のハードキーを選んで操作する。
【００１２】
ところで、電子装置が車載用の装置である場合、運転者が電子装置本体に設けられたハードキーやタッチパネルに表示されたソフトキーを操作する場合がある。通常このような場合の操作は安全のため停止中に行うことが多いが、電子装置に手を伸ばして操作するよりは、手元に置いたリモコンユニットで操作することが好まれる。リモコンユニットは小型である例が多く、リモコンユニットに設けられるハードキーは電子装置本体に設けられたハードキーよりも小さく構成される。また、リモコンユニットの表示部も電子装置本体の表示手段（タッチパネル）よりも小さいものになる。
【００１３】
リモコンユニットに設けられたカーソルキーを操作してソフトキーを選択操作する場合には、電子装置本体のタッチパネル上にカーソルを表示し、リモコンユニットのカーソルキーを操作して電子装置本体のタッチパネル上でカーソルを移動して所望のソフトキーを容易に目視、確認して操作することができる。この時、リモコンユニットで操作するのはカーソルキーによる上下、左右のカーソル移動操作だけであるから、リモコンユニット自体を目視することなくブラインドタッチで操作しつつ、電子装置本体の表示画面を観察することも困難なく行うことができる。
【００１４】
しかしながら、リモコンユニットに設けられたハードキーを操作する場合、所望のハードキーを目視して確認した上で操作する必要があるが、ハードキーが小さいため、目視、確認がしにくいという問題点があった。
【００１５】
本願の発明者はこのような問題点を解消すべく種々検討を重ねた結果、表示ユニットに表示されたソフトキーを直接またはリモコンユニットからカーソル操作して所望のソフトキーを選択して当該電子装置に対する種々の指定や設定を行う電子装置において、ソフトキーに加えて表示手段の周辺に設けられたハードキー（物理的、機構的なキー、スイッチ、ボタン等）もリモコンユニットからカーソル操作して選択できるようになせば上記の問題点を解消し得ることに想到して本発明を完成するに至ったものである。
【００１６】
すなわち、本発明は上記の問題点を解消することを課題とし、リモコンユニットからカーソル操作して所望のソフトキーに加えてハードキーを選択操作できるようにした、タッチパネル表示機能を有する電子装置およびタッチパネル制御方法を提供することを目的とするものである。
【課題を解決するための手段】
【００１７】
前記課題を解決するために、本願の請求項１にかかる発明は、
電子装置を操作するためのキーを有するリモコンユニットを備え、複数のソフトキーを表示するタッチパネル機能を有する表示部と、前記表示部の周辺に設けられた複数のハードキーを有するタッチパネル機能を有する電子装置において、
前記電子装置は、前記リモコンユニットからの信号を受信するリモコン受信部と、前記表示部に表示されるソフトキーの配列と前記表示部の周辺に配置されたハードキーの配列とを連続した相互の位置関係として記憶したキー配列テーブルと、前記リモコンユニットに設けられたカーソルキー操作に基づいて移動するカーソル位置に応じて前記表示部に表示されたソフトキーの選択を検出して該ソフトキーを能動化する制御部と、を備え、
前記制御部は、前記リモコンユニットにおけるカーソルキー操作を検出し、前記表示部におけるソフトキーの表示領域を超えて前記カーソルが移動された場合、カーソルの移動量と移動方向に基づいて前記キー配列テーブルを参照して該当するハードキーの選択を検出して該ハードキーを能動化することを特徴とする。
【００１８】
また、本願の請求項２にかかる発明は、請求項１にかかるタッチパネル機能を有する電子装置において、前記ハードキーは、少なくとも前記電子装置の電源キーと、前記電子装置が有する複数の機能部を選択する複数の機能キーとを含むことを特徴とする。
【００１９】
また、本願の請求項３にかかる発明は、請求項１にかかるタッチパネル機能を有する電子装置において、前記カーソルキー操作によって特定のハードキーが選択された時、該選択されたハードキーの発光表示を異ならせることを特徴とする。
【００２０】
また、本願の請求項４にかかる発明は、請求項２にかかるタッチパネル機能を有する電子装置において、前記表示部に表示されるソフトキーは、前記複数の機能部のそれぞれの動作に必要な複数のソフトキーのセットからなり、前記キー配列テーブルは前記ソフトキーのセットに対応したキー配列データのセットを含み、前記制御部は、能動化された機能に対応したキー配列データのセットを選択して参照することを特徴とする。
【００２１】
また、本願の請求項５にかかる発明は、
電子装置を操作するためのキーを有するリモコンユニットを備え、複数のソフトキーを表示するタッチパネル機能を有する表示部と、前記表示部の周辺に設けられた複数のハードキーを有するタッチパネル機能を有する電子装置のタッチパネル制御方法において、
前記電子装置は、前記リモコンユニットからの信号を受信するリモコン受信部と、前記表示部に表示されるソフトキーの配列と前記表示部の周辺に配置されたハードキーの配列とを連続した相互の位置関係として記憶したキー配列テーブルと、前記リモコンユニットに設けられたカーソルキー操作に基づいて移動するカーソル位置に応じて前記表示部に表示されたソフトキーの選択を検出して該ソフトキーを能動化する制御部と、を備え、
前記制御部が、前記リモコンユニットにおけるカーソルキー操作を検出するステップと、前記表示部におけるソフトキーの表示領域を超えて前記カーソルが移動された場合、カーソルの移動量と移動方向に基づいて前記キー配列テーブルを参照して該当するハードキーの選択を検出して該ハードキーを能動化するステップとを有することを特徴とする。
【発明の効果】
【００２２】
請求項１にかかる発明においては、タッチパネル機能を有する表示部に表示されたソフトキーを、リモコンユニットに設けられたカーソルキーを操作して選択する電子装置は、リモコンユニットからの信号を受信するリモコン受信部と、表示部に表示されるソフトキーの配列と前記表示部の周辺に配置されたハードキーの配列とを連続した相互の位置関係として記憶したキー配列テーブルと、リモコンユニットに設けられたカーソルキー操作に基づいて移動するカーソル位置に応じて表示部に表示されたソフトキーの選択を検出して該ソフトキーを能動化する制御部と、を備え、制御部は、リモコンユニットにおけるカーソルキー操作を検出し、キー配列テーブルを参照して表示部におけるソフトキーの表示領域を超えて前記カーソルが移動された場合、カーソルの移動量と移動方向に基づいて該当するハードキーの選択を検出して該ハードキーを能動化する。
【００２３】
このような構成によれば、リモコンユニットのカーソルキーを操作することにより、表示部に表示されたソフトキーと、表示部の周辺に設けられたハードキーを選択することができるようになる。このため、利用者は電子装置本体に設けられたハードキーをリモコンユニットの対応するキーを選択することなく、カーソルキーの操作のみによって選択することができ、リモコンユニットによる操作を簡単化することができるようになる。
【００２４】
請求項２にかかる発明においては、請求項１にかかるタッチパネル機能を有する電子装置において、前記ハードキーは、少なくとも前記電子装置の電源キーと、前記電子装置が有する複数の機能部を選択する複数の機能キーとを含むから、複数の機能を有する複合電子装置においても、利用者は電子装置本体に設けられたハードキーをリモコンユニットの対応するキーを選択することなく、カーソルキーの操作のみによって選択することができ、リモコンユニットによる操作を簡単化することができるようになる。
【００２５】
請求項３にかかる発明は、請求項１にかかるタッチパネル機能を有する電子装置において、前記カーソルキー操作によって特定のハードキーが選択された時、該選択されたハードキーの発光表示を異ならせるから、リモコンユニットのカーソルキー操作によってどのハードキーが選択されているかを識別、確認することが容易になる。
【００２６】
請求項４にかかる発明においては、請求項２にかかるタッチパネル機能を有する電子装置において、前記表示部に表示されるソフトキーは、前記複数の機能部のそれぞれの動作に必要な複数のソフトキーのセットからなり、前記キー配列テーブルは前記ソフトキーのセットに対応したキー配列データのセットを含み、前記制御部は、能動化された機能に対応したキー配列データのセットを選択して参照する。
【００２７】
このような構成によれば、複数の機能を有する複合電子装置においても、利用者は電子装置本体に設けられたハードキーをリモコンユニットの対応するキーを選択することなく、カーソルキーの操作のみによって選択するとともに、複数の機能部のそれぞれの動作に必要な複数のソフトキーをリモコンユニットのカーソルキーの操作によって選択することができるようになる。
【００２８】
また、請求項５にかかる発明においては、請求項は１にかかるタッチパネル機能を有する電子装置を実現するタッチパネル制御方法を提供することができるようになる。
【発明を実施するための最良の形態】
【００２９】
以下、本発明の具体例を実施例及び図面を用いて詳細に説明する。但し、以下に示す実施例は、本発明の技術思想を具体化するためのタッチパネル表示機能を有する電子装置およびリモコンユニットを例示するものであって、本発明をこの実施例のタッチパネル表示機能を有する電子装置およびリモコンユニットに特定することを意図するものではなく、特許請求の範囲に含まれるその他の実施形態のタッチパネル表示機能を有する電子装置およびリモコンユニットにも等しく適用し得るものである。
【実施例】
【００３０】
図１は、本発明の実施例にかかるタッチパネル表示機能を有する電子装置１０の構成を示すブロック図である。電子装置１０は車載用の電子装置であり、地図記憶部１６、ＧＰＳ受信部１７、デジタルＴＶ受信部２１、アナログＴＶ受信部２２、ラジオ受信部２３、オーディオビデオ部２４を備え、ナビゲーション機能、テレビ放送受信機能、ＡＭ放送、ＦＭ放送などのラジオ放送受信機能、音楽コンテンツや画像コンテンツを再生するオーディオビデオ再生機能を有する複合電子装置である。
【００３１】
制御部１１は、図示してはいないがＲＡＭ、ＲＯＭ、プロセッサを有するマイクロプロセッサであり、ＲＯＭに格納された制御プログラムにより各部の動作を制御する。操作部１２は、数字キーやアルファベットキー、カーソル操作キー、その他の機能キー、選択キー、スクロールキーなどからなるハードキーを備え、電子装置１０を操作したり、電子装置１０に所要の入力をしたりするためのものである。また、出力手段である表示部１３に表示されるメニュー画面から所望のメニューを選択し、あるいは、キーを操作して種々の入力操作を行うこともでき、表示部１３は操作部１２の一部としても機能する。
【００３２】
また、表示部１３はタッチパネル機能を有するものであり、表示部１３の表示画面にソフトキーが表示され、指で所望のソフトキーを押下することによってキーの選択操作を行うことができる。
【００３３】
各ナビゲーション機能などの各機能は操作部１２に設けられた機能キーを操作することによって切替えられる。ナビゲーション機能が選択された場合、操作部１２により設定された出発地、目的地の位置情報に従って、地図記憶部１６に記憶された道路データを参照して２地点間の距離または所要時間の最も小さい最適経路が探索され、地図とともに最適経路が表示部１３に表示される。ＧＰＳ受信部１７はＧＰＳ衛星の信号を受信して現在位置を算出し、現在位置マークを地図上に描画する。
【００３４】
また、電子装置１０はスピーカ１４、ディスク再生部１５、リモコン受信部１８、キー配列テーブル１９を備えている。ナビゲーション機能における音声案内や、デジタルＴＶ受信部２１、アナログＴＶ受信部２２、ラジオ受信部２３、オーディオビデオ部２４の音声はスピーカ１４により出力される。ディスク再生部１５は音楽コンテンツや画像コンテンツが記録されたディスクからデータを読み出すものである。
【００３５】
リモコン受信部１８は後述するリモコンユニットにおける操作信号を受信するものであり、一般的には赤外線信号を受信する光センサなどから構成されるが、近距離無線通信を用いるものであってもよい。キー配列テーブルは後述するソフトキー、ハードキーのキー配列を記憶したデータテーブルである。
【００３６】
図２は、図１に示す電子装置１０の外観を示す正面図である。表示部１３の表示画面１０１はタッチパネル機能を有しており、表示画面１０１に表示されたソフトキーＳＫ１〜ＳＫ８のうち所望のソフトキーを指でタッチ（押下）することによってそのソフトキーに割り当てられた機能が能動化される。表示画面１０１の周辺にはハードキーＨＫ１〜ＨＫ８が設けられている。一般的にハードキーＨＫ１〜ＨＫ８には電子装置１０の電源を投入切断するための電源キーや、電子装置か備えている基本的な機能を選択するための機能キーが割り当てられる。機能キーとは、例えば、ナビゲーション機能における音声案内や、デジタルＴＶ受信部２１、アナログＴＶ受信部２２、ラジオ受信部２３、オーディオビデオ部２４などの機能を選択するキーである。
【００３７】
また、表示画面１０１にはカーソル１０２が表示され、カーソルキーを操作して所望のソフトキー例えばソフトキーＳＫ１上に移動することによってそのソフトキーＳＫ１を選択することができる。カーソルキーは、図２には図示されていないが後述するリモコンユニットに備えられており、リモコンユニットのカーソルキーを操作して表示画面１０１に表示された所望のソフトキーＳＫ１〜ＳＫ８を選択することができる。カーソル１０２はリモコンユニットにおいてカーソルキーが操作された時に表示画面の中央を初期位置として表示するように構成されている。
【００３８】
図３は、電子装置１０に付属するリモコンユニット３０の外観を示す正面図である。リモコンユニット３０には赤外線送信部３１、電子装置１０に設けられたハードキーＨＫ１〜ＨＫ８に対応するキーＨＫ１〜ＨＫ８、カーソルキー３３、確定キー３２、テンキー３４等のキーが配設されている。各キーが操作されると赤外線送信部３１からリモコン信号が電子装置１０に送られる。リモコン信号はリモコン受信部１８（図１参照）で受信され、制御部１１はリモコンユニット３０で行われた操作を検出して所定の制御を行う。
【００３９】
カーソルキー３３は、表示画面１０１に表示されたカーソル１０２を上下、左右方向に移動する上下キー、左右キーに区分されている。上下キー、左右キーが操作されるごとにカーソル１０２は一定の距離を移動する。カーソルキーが操作開始された時のカーソルの初期位置は表示画面１０１の中央である。更にカーソルキーが操作されると、制御部１１はカーソルキーの操作量に基づいてカーソル１０２の位置を検出する。
【００４０】
制御部１１はリモコンユニット３０におけるカーソルキー３３の操作、すなわち、カーソル１０２の位置を検出すると、キー配列テーブル１９を参照してカーソル１０２が位置しているキーを選択して該当するキーの機能を能動化する。キー配列テーブル１９に記憶されたキー配列のデータは、図４に示すように、表示画面を含む電子装置の正面の平面上を横方向座標範囲Ｘ１〜Ｘ４、縦方向の座標範囲Ｙ１〜Ｙ４に区分され、該当する領域に表示されるソフトキーもしくは該当する領域に設置されたハードキーが定義されている。従って、カーソル１０２が表示部１３におけるソフトキーの表示領域を超えて移動された場合、その移動量、移動方向に基づいて表示部１３の周辺に設置されている何れかのハードキーの上に位置することがわかる。
【００４１】
例えば、横方向の座標範囲Ｘ２、縦方向の座標範囲Ｙ２には、ソフトキーＳＫ２が定義されている。カーソル１０２がこの座標範囲にあり確定キー３２が操作されると、ソフトキーＳＫ２の選択が確定し、制御部１１はソフトキーＳＫ２に割り当てられた機能を能動化する。同様にしてカーソル１０２が横方向の座標範囲Ｘ４、縦方向の座標範囲Ｙ４の座標範囲にある時は、この領域に定義されたハードキーＨＫ８が選択される。
【００４２】
このようにキー配列テーブル１９は、図４を参照して説明したように、表示画面１０１に表示されたソフトキーの配列と、表示画面（表示部）の周囲に設けられたハードキーの配列とを連続した相互の位置関係として記憶したものであり、このようなキー配列テーブル１９を参照すれば、表示画面に表示されたソフトキーと表示画面の周辺に設けられたハードキーとをリモコンユニット３０のカーソルキー操作により選択することができるようになる。
【００４３】
なお、電子装置１０が図１に示すように複合装置である場合、電子装置１０においてどの機能部が動作しているかによって表示画面に表示されるソフトキーの機能割り当てなどが異なる場合がある。このため、キー配列テーブル１９には、複数の機能部のそれぞれの動作に必要な複数のソフトキーのセットと、そのソフトキーのセットに対応したキー配列データのセットを含んで構成され、制御部１１は、能動化された機能に対応したキー配列データのセットを選択して参照する。
【００４４】
図５は、リモコンユニット３０のカーソルキー３３の操作によるソフトキー、ハードキーの選択動作の手順を示すフローチャートである。ステップＳ１１の処理において制御部１１はリモコン受信部１８で受信したリモコン信号によりカーソルキー３３が操作されたことを検出し、ステップＳ１２の処理においてカーソルキー３３の操作量に基づいてカーソル１０２の位置を検出する。
【００４５】
次いで制御部１１は、ステップＳ１３の処理において、カーソル１０２の位置が表示画面１０１（図２参照）の領域外まで移動したか否かを判別する。カーソル１０２の位置が表示画面１０１の領域外に移動していなければ、ステップＳ１４の処理に進み、キー配列テーブル１９を参照してカーソル１０２が位置しているソフトキーを選択してそのソフトキーに割り当てられている機能を能動化する。
【００４６】
ステップＳ１３の判別処理において、カーソル１０２の位置が表示画面１０１の領域外に移動していると判別されると、制御部１１はステップＳ１５の処理に進み、カーソル位置に該当するハードキーを選択してそのハードキーに割り当てられている機能を能動化する。なお、この時、電子装置１０に設けられているハードキーＳＫ１〜ＳＫ８のうち、選択されたハードキーの発光表示の輝度を高くし、あるいは、異なる発光表示色に切替えて表示すると、どのハードキーが選択されているかを識別、確認することが容易になる。
【００４７】
以上、詳細に説明したように本発明によれば、リモコンユニット３０のカーソルキー３３を操作することにより、表示部１３に表示されたソフトキーと、表示部の周辺に設けられたハードキーを、ソフトキー選択の延長上で選択することができるようになる。
【図面の簡単な説明】
【００４８】
【図１】本発明の実施例にかかるタッチパネル表示機能を有する電子装置の構成を示すブロック図である。
【図２】図１のタッチパネル表示機能を有する電子装置の外観を示す正面図である。
【図３】本発明の実施例にかかるタッチパネル表示機能を有する電子装置に付属するリモコンユニットの外観を示す正面図である。
【図４】キー配列テーブルに記憶されるデータの構成を示すデータ構成図である。
【図５】リモコンユニットのカーソルキー操作によるソフトキーおよびハードキーの選択動作の手順を示すフローチャートである。
【符号の説明】
【００４９】
１０・・・・電子装置
１１・・・・制御部
１２・・・・操作部
１３・・・・表示部
１４・・・・スピーカ
１５・・・・ディスク再生部
１６・・・・地図記憶部
１７・・・・ＧＰＳ受信部
１８・・・・リモコン受信部
１９・・・・キー配列テーブル
２１・・・・デジタルＴＶ受信部
２２・・・・アナログＴＶ受信部
２３・・・・ラジオ受信部
２４・・・・オーディオビデオ部
【図１】
2008078860.tif 000003
【図２】
2008078860.tif 000004
【図３】
2008078860.tif 000005
【図４】
2008078860.tif 000006
【図５】
2008078860.tif 000007